(57)【要約】      （修正有）【課題】人工肛門を造設した人が簡単に脱着できる蓄便袋の脱落防止用ポケット付きベルトを提供する。【解決手段】蓄便袋を収納する為のポケット部分と、ベルト部分を一体化し、ベルト丸穴上部に面ファスナー開閉部を設ける。【選択図】図１
0003180697.tif 000002
【実用新案登録請求の範囲】
【請求項１】
蓄便袋に装着し蓄便袋の脱落防止用ポケット付きの安心ベルトである。
【請求項２】
蓄便袋を取り付けたまま、安心ベルトを簡単に取り付けることの出来るように、丸穴上部をマジックテ−プにて開閉させる。
【請求項３】
安心ベルトは肌にやさしい布で製作してあり、腰に巻付ける際に引っ張られ、本体が捩れるるのを防ぐよう丸穴の両側に角穴を開けてある。
【請求項４】
端末は、胴囲により調節出来るようにマジックテ−プ仕様である。
【考案の詳細な説明】
【技術分野】
【０００１】本発明は、人工肛門造設者の蓄便袋使用時における、精神的・肉体的な、日常的苦痛より解放され、尚且つ安心して一日中行動出来るよう、蓄便袋脱落防止用の為の安心ベルトである
【背景技術】
【０００２】直腸がんに因り止むを得ず肛門を切除し、人工肛門を造設した後は、排便の自己調節が不可能となり、自覚がないまま排便される為、人工肛門に蓄便袋を取り付ける事になるが、脱着の際の排便漏れ、体伸縮時・就寝時の腹部圧迫に因る臭気洩れ等の心配等、多々の苦悩が日常生活への復帰に対しても臆するようになる。人工肛門の大きさに合わせた蓄便袋の接着部分を直接脇腹に貼り付けるだけの為、外部からの圧迫、身体の捩れ、また夏期における発汗に因る接着部分の剥がれ等、これらに起因する蓄便袋の脱落があり、排便の重みも加わりいつ脱落するか分からない不安がある。外出中に蓄便袋が脱落した場合、交換をする場所を探す事が困難であり、排便の入った蓄便袋を廃棄出来る場所もなかなか無く、ましてや持ち歩く訳にもいかぬ為、家に籠もるようになる人もいる。
【考案が解決しようとする課題】
【０００３】本発明は、上記の背景を解決出来るように、蓄便袋の脱落防止用ポケット付き簡単装着安心ベルトを提案した。
【課題を解決するための手段】
【０００４】この安心ベルトは、透明の蓄便袋をすっぽり包み入れる図１−９に示すポケットが一体化しており、蓄便袋の接着部分が剥がれる事の無いように押さえるベルトであり、蓄便袋を取付けたままでも簡単に装脱着が出来るように、前部分丸穴の５上部をマジックテ−プ６で止め、腰回りをゴムベルト２で巻き、端末３・４をマジックテ−プで腰回りの大きさに合わせて調節し止める。
【０００５】さらにこの安心ベルトは、肌にやさしい布を使用している為、腰に巻き付けた時に加わる力により布製本体１が捩れないように、蓄便袋を止める丸穴５の両側に角穴７・８を開ける事に依り捩れを緩和することが出来る。
【考案の効果】
【０００６】本発明のポケット付き簡単装着安心ベルトは、通常蓄便袋を直接人体に接着した場合、ベルト使用の際に丸穴に蓄便袋を通すのが困難であるが、丸穴上部を開閉出来ることにより、老人、子供、指先に力が入らない人でも、簡単に装脱着することが出来るため、外出前の煩わしさから解放される。また本発明のポケット付き簡単装着安心ベルトは、肌にやさしい布製なので、夏の猛暑の中でも汗の吸収がよい。
【図面の簡単な説明】
【０００７】
【図１】ポケット付き安心ベルトの平面図である。
【符号の説明】
【０００８】１  安心ベルト本体          ５  蓄便袋装着用丸穴部          ９蓄便袋用ポケット２  腰の巻付け用ゴムベルト  ６  簡単装着用マジックテ−プ部３  端末止め部              ７  張引時の捩れ吸収穴部４  端末止め部              ８  張引時の捩れ吸収穴部
【図１】
0003180697.tif 000003
【図２】
0003180697.tif 000004
【手続補正書】
【提出日】平成24年8月9日(2012.8.9)
【手続補正１】
【補正対象書類名】実用新案登録請求の範囲
【補正対象項目名】全文
【補正方法】変更
【補正の内容】
【実用新案登録請求の範囲】
【請求項１】
人工肛門に貼り付けた排泄物受け用袋（畜便袋）の脱落防止用ベルトであり畜便袋を収納する為のポケット部分とベルト部分を一体化しベルト丸穴上部に面ファスナ−開閉部を設けた畜便袋脱落防止用ポケット付きベルト。
【請求項２】
ポケット開口部は幅左右１５ｃｍ深さ１５ｃｍでベルト丸穴下１．５ｃｍに設けていることを特徴とする請求項１に記載の畜便袋脱落防止用ポケット付きベルト。
【請求項３】
ベルト前面の丸穴上部を幅５ｃｍ面ファスナ−にて開閉することを特徴とする請求項１に記載の畜便袋脱落防止用ポケット付きベルト。
【請求項４】
材質は綿布であり捩れを防止のため丸穴の両側に角穴を設けベルト端末は面ファスナ−でとめることを特徴とする畜便袋脱落防止用ポケット付きベルト。
【手続補正２】
【補正対象書類名】明細書
【補正対象項目名】全文
【補正方法】変更
【補正の内容】
【考案の詳細な説明】
【技術分野】
【０００１】本発明は人工肛門造設者の畜便袋使用時における精神的肉体的な日常的苦痛より解放され尚且つ安心して一日中行動出来るよう畜便袋脱落防止用ポケット付きベルトである。
【背景技術】
【０００２】直腸癌に因り止むを得ず肛門を切除し人工肛門を造設した後は排便の自己調節が不可能となり自覚がないまま排便されるため人工肛門に畜便袋を取付ける事になるが脱着の際の排便漏れや体の伸縮時の腹部圧迫に因る臭気漏れのの心配等多々の苦悩が日常生活への復帰に対しても臆するようになる。
人工肛門の大きさに合わせた畜便袋の接着部分を直接脇腹に貼り付けるだけの為外部からの圧迫からの捩れまた夏期における発汗による接着部分の剥がれ等これらに起因する畜便袋の脱落があり排便の重みも加わりいつ脱落するか分からない不安がある。
外出中に畜便袋が脱落した場合交換をする場所を探す事が困難であり排便の入った畜便袋を廃棄出来る場所もなかなか無くましてや持ち歩く訳にもいかぬ為家の中に籠もるようになる人もいる。
【考案が解決しようとする課題】
【０００３】本発明は上記の背景を解決出来るように畜便袋脱落防止用ポケット付きベルトを提案した。
【０００４】この畜便袋脱落防止用ポケット付きベルトは透明の畜便袋をすっぽり包み入れる図１−９に示すポケットが一体化しており畜便袋の接着部分が剥がれる事の無いように押さえるベルトであり畜便袋を貼付けたままでも簡単に装脱着が出来るように前部分丸穴図１−５上部を面ファスナ−図１−６で止め腰周りをゴムベルト図１−２で巻き端末図１−３・４を面ファスナ−で腰回りの大きさに合わせて調節して止める。
【０００５】さらにこの畜便袋脱落防止用ポケット付きベルトは肌にやさしい綿布を使用しており腰に巻き付けた時に加わる張引力により本体が捩れないようにするため畜便袋に止める丸穴図１−５の両側に角穴図１−７・８を空けることにより捩れを緩和することが出来る。
【考案の効果】
【０００６】本発明の畜便袋脱落防止用ポケット付きベルトは通常畜便袋を直接人体に接着するのでベルト装着の際は丸穴上部を面ファスナ−にて開閉することにより老人や子供または指先に力が入らない人でも簡単に装脱着することが出来るため外出時の煩わしさからも解放される。
また本発明の畜便袋脱落防止用ポケット付きベルトは肌にやさしい布製なので汗の吸収性もよく畜便袋をポケットに収納することにより畜便袋が直接肌に擦れる痛みの悩みからも解消される。
【図面の簡単な説明】
【０００７】
【図１】畜便袋脱落防止用ポケット付きベルトの平面図である
【図２】畜便袋脱落防止用ポケット付きベルトのポケットに畜便袋を入れ状態の写真である。
【符号の説明】
【０００８】１  畜便袋脱落防止用ポケット付きベルト  ２  腰巻き付け用ゴムベルト
３  端末止め部面ファスナ−  ４  端末止め部面ファスナ−
５  畜便袋装着用丸穴部      ６  簡単装着用面ファスナ−部
７  張引時の捩れ吸収穴部    ８  張引時の捩れ吸収穴部
９  畜便袋用ポケット部    １０  畜便袋
【手続補正４】
【補正対象書類名】図面
【補正対象項目名】全図
【補正方法】変更
【補正の内容】
【図１】
0003180697.tif 000005
【図２】
0003180697.tif 000006
【手続補正書】
【提出日】平成24年10月9日(2012.10.9)
【手続補正１】
【補正対象書類名】実用新案登録請求の範囲
【補正対象項目名】全文
【補正方法】変更
【補正の内容】
【実用新案登録請求の範囲】
【請求項１】
人工肛門に貼り付けた排泄物受け用袋（畜便袋）の脱落防止用ベルトであり畜便袋を収納する為のポケット部分とベルト部分を一体化しベルト丸穴上部に面ファスナ−開閉部を設けた畜便袋脱落防止用ポケット付きベルト。
【請求項２】
ポケット開口部は幅左右１５ｃｍ深さ１５ｃｍでベルト丸穴下１．５ｃｍに設けていることを特徴とする請求項１に記載の畜便袋脱落防止用ポケット付きベルト。
【請求項３】
ベルト前面の丸穴上部を幅５ｃｍ面ファスナーにて開閉することを特徴とする請求項１に記載の畜便袋脱落防止用ポケット付きベルト。
【請求項４】
材質は綿布であり捩れを防止のため丸穴の両側に角穴を設けベルト端末は面ファスナーでとめることを特徴とする請求項１に記載の畜便袋脱落防止用ポケット付きベルト。